(57)【要約】  【課題】建設機械の作業効率を低下させることなく、高所作業時における天窓を通じた上方視界を確保して作業安全性を向上させる。【解決手段】天窓を有する建設機械の位置調整機構付きシート装置において、キャブ７内に前後方向に移動可能に設置されたシート８と、該シート８を前後方向に移動駆動する駆動装置１４と、駆動装置１４の運転を操作する操作スイッチ１５とを備え、操作スイッチ１５はシート８の近傍に設けた操作レバー9又は１０に取り付けられている。【選択図】図２
2010115979.tif 000002
【特許請求の範囲】
【請求項１】
キャブの上部に天窓を有する建設機械の位置調整機構付きシート装置において、前記キャブ内に前後方向に移動可能に設置されたシートと、該シートを前後方向に移動駆動する駆動装置と、該駆動装置の運転を操作する操作スイッチとを備え、該操作スイッチは前記シート近傍に設けた操作レバーに取り付けられていることを特徴とする建設機械の位置調整機構付きシート装置。
【発明の詳細な説明】
【技術分野】
【０００１】
本発明は建設機械の位置調整機構付きシート装置に関するものであり、特に、キャブの天窓からの上方視界を向上させることができる建設機械の位置調整機構付きシート装置に関するものである。
【背景技術】
【０００２】
従来、ブーム式高所作業車等の建設機械は、下部走行体上に上部旋回体が旋回可能に搭載され、該上部旋回体にブーム、ア−ム及びエンドアタッチメント（バケット又はリフティングマグネットなど）等から成る作業機が取り付けられている。又、上部旋回体にはキャブが搭載され、図５に示すように、キャブ２０内にはシート（運転席）２１が設けられていると共に、該シート２１の前部近傍に操作レバー２２が設けられている。更に、キャブ２０の天井部には、高所作業時における上方視界を確保するべく、天窓２３が開設されている（特許文献１参照）。
【特許文献１】特開２００７−０５５３６８公報
【発明の開示】
【発明が解決しようとする課題】
【０００３】
上記油圧ショベル等において高所作業を行う場合、特に、ハイリフト仕様の油圧ショベル等において、ブームを最大振り上げ位置まで上昇させて高所作業を行う場合は、作業安全性のために、天窓２３を通じた上方視界を良好に確保する必要がある。
【０００４】
しかし、オペレータＭが着座するシート２１は、通常の前方作業を行うのに適した位置に固定されているので、高所作業を行う場合には、オペレータＭは、天窓２３を通じて作業機先端側のエンドアタッチメント２４を見ようとしても、シート２１の位置が適切ではないので、作業機の先端部２４が見えにくくなる。  
【０００５】
そのため、オペレータＭはシート２１の前方に身体をのりだした前傾姿勢で運転作業を行なわなければならない。依って、高所作業時に、オペレータＭは不自然な前傾姿勢を余儀なくされるので、運転時の操作性又は安全性が低下するのみならず、オペレータＭの首などの身体各部が疲労し易いという問題があった。
【０００６】
上記問題を解決するためには、シートを前後方向に移動できるように構成し、高所作業を行う毎に、シートの固定手段（ボルト等）を緩めてシートを前方に移動させて、手作業にてシートの位置を調整した後に、再び前記固定手段を締結して前記シートの位置決め固定を行うことが考えられる。
【０００７】
しかし、この場合には高所作業を行う度に、シートの位置調整を手作業で行わなければならないので、シートの位置調整作業が煩わしくなり、建設機械の作業効率が低下するという問題が生じる。
【０００８】
そこで、建設機械の作業効率を低下させることなく、高所作業時における天窓を通じた上方視界を確保して作業安全性を向上させるために解決すべき技術的課題が生じてくるのであり、本発明はこの課題を解決することを目的とする。
【課題を解決するための手段】
【０００９】
本発明は上記目的を達成するために提案されたものであり、請求項１記載の発明は、キャブの上部に天窓を有する建設機械の位置調整機構付きシート装置において、キャブ内に
前後方向に移動可能に設置されたシートと、該シートを前後方向に移動駆動する駆動装置と、駆動装置の運転を操作する操作スイッチとを備え、操作スイッチはシートの近傍に設けた操作レバーに取り付けられている建設機械の位置調整機構付きシート装置を提供する。
【００１０】
この構成によれば、高所作業時には、オペレータはシートに着座した状態で、操作レバーに取り付けた操作スイッチを介して、駆動装置の駆動を操作してシートを前方向に移動させる。依って、オペレータは、天窓を通じた上方視界を良好に確保できるので、作業機の先端部が見やすくなる。
【発明の効果】
【００１１】
請求項１記載の発明は、オペレータは、天窓を通じて作業機の先端部が見やすくなり、安全確認して運転操作を行えるので、作業安全性が向上する。又、オペレータは、不自然な前傾姿勢を強いられることなく、楽な姿勢で運転操作できるので、首などの身体各部の疲労を従来に比して軽減することができる。
【００１２】
更に、シートの前後位置は、操作スイッチを介して自動的に調整されるので、従来例の如く高所作業を行う毎に、シートの位置調整を手作業で行なう必要がなく、建設機械の作業効率を向上させることができる。
【発明を実施するための最良の形態】
【００１３】
本発明は、建設機械の作業効率を低下させることなく、高所作業時における天窓を通じた上方視界を確保して作業安全性を向上させるという目的を達成するため、キャブの上部に天窓を有する建設機械の位置調整機構付きシート装置において、キャブ内に前後方向に移動可能に設置されたシートと、該シートを前後方向に移動駆動する駆動装置と、駆動装置の運転を操作する操作スイッチとを備え、操作スイッチはシートの近傍に設けた操作レバーに取り付けられていることにより実現した。
【実施例】
【００１４】
以下、本発明の好適な一実施例を図１乃至図４に従って説明する。図１は本実施例に係る建設機械としての油圧ショベルを示す。尚、本実施例では、作業機のエンドアタッチメントとしてリフティングマグネット又はバケットを併用する油圧ショベルに適用したものであるが、本発明は油圧ショベル以外の建設機械、特に、ブーム式高所作業車などに好適に適用することができる。
【００１５】
同図に示すように、下部走行体１上には上部旋回体２が旋回可能に搭載され、該上部旋回体２にブーム３、ア−ム４及びエンドアタッチメント（リフティングマグネット又はバケット）５等から成る作業機６が取り付けられている。  即ち、上部旋回体２の前方一側部にブーム３が上下回動可能に連結され、該ブーム３の先端部にア−ム４が上下回動可能に枢着されている。更に、ア−ム４の先端部にエンドアタッチメント５が揺動可能に取り付けられている。
【００１６】
又、上部旋回体２の前方他側部にはキャブ７が搭載され、図２に示すように、キャブ７内の略中央部にはシート（運転席）８が設けられていると共に、シート８の前部近傍に操作レバー９，１０が設けられている。更に、キャブ７の天井部には、高所作業時における上方視界を確保するために天窓１１が開設されている。
【００１７】
本実施例に係るシート８は、スイッチ操作により前後方向の位置調整を自動的に行えるように構成されている。図３及び図４は、シート８の位置調整機構の構成例を示す。同図において、キャブ７の床面に設置した架台１２上には、レール部材１３が油圧ショベル１
の前後方向（図３における左右方向）ＦＢに敷設されている。更に、該レール部材１３上にはシート８が前後方向にスライド可能に設置されている。
【００１８】
又、架台１２上には、シート８を前後方向に駆動するための駆動装置１４が搭載され、該駆動装置１４としては電気式機構又は油圧式機構のいずれでも採択できる。更に、駆動装置１４は操作スイッチ１５の操作により駆動できるように構成されている。該操作スイッチ１５は、シート８の前部近傍に配置した操作レバー９（又は操作レバー１０）に取り付けられている。
【００１９】
次に、本実施例に係るシート８の位置調整の手順について説明する。上記ブーム３を最大振り上げ位置まで上昇させた時は、作業の安全性を確保すべく、天窓１１を通じた上方視界を十分に確保する必要がある。そこで、作業機６先端側のエンドアタッチメント５を見易くするために、本実施例では、シート８を前方向の最適位置まで移動させることができる。
【００２０】
この場合、オペレータＭはシート８に着座した状態で、シート８の位置調整を手元操作にて行うことができる。即ち、操作レバー１４に取付けた操作スイッチ１５を操作することにより、駆動装置１４を駆動してシート８を前方向Ｆに所定距離だけ移動させる。これにより、天窓１１を通じた良好な上方視界が確保され、作業機６先端側のエンドアタッチメント５に対する視認性が良くなる。
【００２１】
以上の如く本発明によると、高所作業時に、オペレータＭはシート８に着座した楽な姿勢で、操作レバー１４に取付けた操作スイッチ１５を介して、駆動装置１４を駆動することにより、シート８が前方向に所定距離だけ移動して最適位置に調整される。従って、オペレータＭは、天窓１１を通じた良好な上方視界を確保できるので、作業機６先端側のリフティングマグネット５が非常に見やすくなる。
【００２２】
斯くして、オペレータＭは、作業機６先端側のエンドアタッチメント５を確認しつつ、操作レバー１４を容易に運転操作できるので、作業安全性が著しく向上する。又、オペレータＭは不自然な前傾姿勢を強いられることなく、楽な姿勢で操作レバー１４を運転操作できるので、従来例に比べて首などの身体各部の疲労が大幅に軽減する。
【００２３】
更に、シート８の前後方向ＦＢの位置は、操作スイッチ１５の手元操作により自動的に調整されるので、高所作業を行う毎に、シート８を人手作業にて移動させる必要がなく、建設機械の作業効率が著しく向上する。
【００２４】
なお、本発明は、本発明の精神を逸脱しない限り種々の改変を為すことができ、そして、本発明が該改変されたものに及ぶことは当然である。
【図面の簡単な説明】
【００２５】
【図１】本発明の一実施例を示し、建設機械である油圧ショベルの側面図。
【図２】図１の油圧ショベルに搭載されたキャブ内を示す斜視図。
【図３】一実施例に係るシート装置を示す側面図。
【図４】一実施例に係るシート装置を示す正面図。
【図５】従来例に係るシート装置を示す側面図。
【符号の説明】
【００２６】
１    下部走行体
２    上部旋回体
３    ブーム
４    ア−ム
５    エンドアタッチメント（バケット又はリフティングマグネット）
６    作業機
７    キャブ
８    シート（運転席）
９    操作レバー
１０  操作レバー
１１  天窓
１３  レール部材
１４  駆動装置
１５  操作スイッチ
【図１】
2010115979.tif 000003
【図２】
2010115979.tif 000004
【図３】
2010115979.tif 000005
【図４】
2010115979.tif 000006
【図５】
2010115979.tif 000007